(57)【要約】【課題】スポットサービスが提供されるエリア内における無線リソースの利用効率を向上させる。【解決手段】端末装置に対する複数の基地局との同時の接続においてマスタ基地局として機能する基地局装置は、該端末装置に対して、該接続においてセカンダリ基地局として機能する特定の第２の基地局装置と接続した後に該端末装置における該第２の基地局装置から受信する信号の品質が所定の閾値以下となった場合に該基地局装置に第２の情報を送信する指示を含む第１の情報を送信し、該端末装置から該第２の情報が受信された場合に、該端末装置と該第２の基地局装置との接続を解放するための制御を行う。【選択図】図６
2019176288.tif 000002
【特許請求の範囲】
【請求項１】
端末装置に対する複数の基地局との同時の接続においてマスタ基地局として機能する基地局装置であって、
前記端末装置に対して、前記接続においてセカンダリ基地局として機能する特定の第２の基地局装置と接続した後に前記端末装置における前記第２の基地局装置から受信する信号の品質が所定の閾値以下となった場合に前記基地局装置に第２の情報を送信する指示を含む第１の情報を送信する送信手段と、
前記端末装置から前記第２の情報が受信された場合に、前記端末装置と前記第２の基地局装置との接続を解放するための制御を行う制御手段と、
を有することを特徴とする基地局装置。
【請求項２】
端末装置に対する複数の基地局との同時の接続においてセカンダリ基地局として機能する基地局装置であって、
前記端末装置に対して、前記基地局装置と接続した後に前記端末装置における前記基地局装置から受信する信号の品質が所定の閾値以下となった場合に、前記接続においてマスタ基地局として機能する第２の基地局装置に第２の情報を送信する指示を含む第１の情報を送信する送信手段と、
前記第２の情報が前記第２の基地局装置に受信されたことを受けて、前記第２の基地局装置の制御により前記端末装置との接続を解放するための制御を行う制御手段と、
を有することを特徴とする基地局装置。
【請求項３】
前記所定の閾値は、前記端末装置が所定のサービスを受けるのに十分な値に設定されることを特徴とする請求項１または２に記載の基地局装置。
【請求項４】
端末装置であって、
複数の基地局との同時の接続においてマスタ基地局として機能する第１の基地局装置から、前記接続においてセカンダリ基地局として機能する第２の基地局装置と接続した後に前記第２の基地局装置から受信する信号の品質が所定の閾値以下となった場合に第２の情報を前記第１の基地局装置に送信する指示を含む第１の情報を受信する受信手段と、
前記第２の基地局装置と接続した後に前記第２の基地局装置から受信する信号の品質が所定の閾値以下となった場合に前記第２の情報を前記第１の基地局装置に送信する送信手段と、
前記送信手段により第２の情報が送信された後に、前記第２の基地局装置との接続を解放するための制御を行う制御手段と、
を有することを特徴とする端末装置。
【請求項５】
端末装置であって、
複数の基地局との同時の接続においてセカンダリ基地局として機能する第２の基地局装置から、前記第２の基地局装置と接続した後に前記第２の基地局装置から受信する信号の品質が所定の閾値以下となった場合に、前記接続においてマスタ基地局として機能する第１の基地局装置に第２の情報を送信する指示を含む第１の情報を受信する受信手段と、
前記第２の基地局と接続した後に前記第２の基地局装置から受信する信号の品質が所定の閾値以下となった場合に前記第２の情報を前記第１の基地局装置に送信する送信手段と、
前記送信手段により第２の情報が送信された後に、前記第２の基地局装置との接続を解放するための制御を行う制御手段と、
を有することを特徴とする端末装置。
【請求項６】
端末装置であって、
複数の基地局との同時の接続においてマスタ基地局として機能する第１の基地局装置から、所定の閾値を含む情報を受信し、かつ、
前記接続においてセカンダリ基地局として機能する第２の基地局装置から、前記第２の基地局装置と接続した後に前記第２の基地局装置から受信する信号の品質が前記所定の閾値以下となった場合に、前記第１の基地局装置に第２の情報を送信する指示を含む第１の情報を受信する受信手段と、
前記第１の基地局装置と接続した後に前記第２の基地局装置から受信する信号の品質が所定の閾値以下となった場合に前記第２の情報を前記第１の基地局装置に送信する送信手段と、
前記送信手段により第２の情報が送信された後に、前記第２の基地局装置との接続を解放するための制御を行う制御手段と、
を有することを特徴とする端末装置。
【請求項７】
前記所定の閾値は、前記端末装置が所定のサービスを受けるのに十分な値に設定されることを特徴とする請求項４から６のいずれか１項に記載の端末装置。
【請求項８】
端末装置に対する複数の基地局との同時の接続においてマスタ基地局として機能する基地局装置の制御方法であって、
前記端末装置に対して、前記接続においてセカンダリ基地局として機能する特定の第２の基地局装置と接続した後に前記端末装置における前記第２の基地局装置から受信する信号の品質が所定の閾値以下となった場合に前記基地局装置に第２の情報を送信する指示を含む第１の情報を送信する送信工程と、
前記端末装置から前記第２の情報が受信された場合に、前記端末装置と前記第２の基地局装置との接続を解放するための制御を行う制御工程と、
を有することを特徴とする制御方法。
【請求項９】
端末装置に対する複数の基地局との同時の接続においてセカンダリ基地局として機能する基地局装置の制御方法であって、
前記端末装置に対して、前記基地局装置と接続した後に前記端末装置における前記基地局装置から受信する信号の品質が所定の閾値以下となった場合に、前記接続においてマスタ基地局として機能する第２の基地局装置に第２の情報を送信する指示を含む第１の情報を送信する送信工程と、
前記第２の情報が前記第２の基地局装置に受信されたことを受けて、前記第２の基地局装置の制御により前記端末装置との接続を解放するための制御を行う制御工程と、
を有することを特徴とする制御方法。
【請求項１０】
端末装置の制御方法であって、
複数の基地局との同時の接続においてマスタ基地局として機能する第１の基地局装置から、前記接続においてセカンダリ基地局として機能する第２の基地局装置と接続した後に前記第２の基地局装置から受信する信号の品質が所定の閾値以下となった場合に第２の情報を前記第１の基地局装置に送信する指示を含む第１の情報を受信する受信工程と、
前記第２の基地局装置と接続した後に前記第２の基地局装置から受信する信号の品質が所定の閾値以下となった場合に前記第２の情報を前記第１の基地局装置に送信する送信工程と、
前記送信工程において第２の情報が送信された後に、前記第２の基地局装置との接続を解放するための制御を行う制御工程と、
を有することを特徴とする制御方法。
【請求項１１】
端末装置の制御方法であって、
複数の基地局との同時の接続においてセカンダリ基地局として機能する第２の基地局装置から、前記第２の基地局装置と接続した後に前記第２の基地局装置から受信する信号の品質が所定の閾値以下となった場合に、前記接続においてマスタ基地局として機能する第１の基地局装置に第２の情報を送信する指示を含む第１の情報を受信する受信工程と、
前記第２の基地局と接続した後に前記第２の基地局装置から受信する信号の品質が所定の閾値以下となった場合に前記第２の情報を前記第１の基地局装置に送信する送信工程と、
前記送信工程において第２の情報が送信された後に、前記第２の基地局装置との接続を解放するための制御を行う制御工程と、
を有することを特徴とする制御方法。
【請求項１２】
端末装置の制御方法であって、
複数の基地局との同時の接続においてマスタ基地局として機能する第１の基地局装置から、所定の閾値を含む情報を受信し、かつ、
前記接続においてセカンダリ基地局として機能する第２の基地局装置から、前記第２の基地局装置と接続した後に前記第２の基地局装置から受信する信号の品質が前記所定の閾値以下となった場合に、前記第１の基地局装置に第２の情報を送信する指示を含む第１の情報を受信する受信工程と、
前記第１の基地局装置と接続した後に前記第２の基地局装置から受信する信号の品質が所定の閾値以下となった場合に前記第２の情報を前記第１の基地局装置に送信する送信工程と、
前記送信工程において第２の情報が送信された後に、前記第２の基地局装置との接続を解放するための制御を行う制御工程と、
を有することを特徴とする制御方法。
【請求項１３】
コンピュータを、請求項１または２に記載の基地局装置の各手段として機能させるためのプログラム。
【請求項１４】
コンピュータを、請求項４から６のいずれか１項に記載の端末装置の各手段として機能させるためのプログラム。
【発明の詳細な説明】
【技術分野】
【０００１】
本発明は、無線通信システムにおけるシステム容量向上技術に関する。
【背景技術】
【０００２】
第３世代パートナーシッププロジェクト（３ＧＰＰ）において、第５世代（New Radio：ＮＲ）の通信システムの検討が行われている（非特許文献１）。特に、端末が、従来のＬＴＥ（ロングタームエボリューション）の基地局（ｅＮＢ）をマスタ基地局とし、ＮＲの基地局（ｇＮＢ）をセカンダリ基地局とするデュアルコネクティビティ・ベースで接続を確立する構成の検討が進んでいる（非特許文献２）。この構成は、ｇＮＢがｅＮＢと接続していない端末と単独で接続することがないためＮＳＡ（Non Standalone）と呼ばれる。
【先行技術文献】
【非特許文献】
【０００３】
【非特許文献１】TR38.804, "Study on New Radio Access Technology; Radio Interface Protocol Aspects", 2006-11.
【非特許文献２】TS38.331, "NR, Radio Resource Control (RRC) protocol specification", 2017-12.
【発明の概要】
【発明が解決しようとする課題】
【０００４】
例えば、ｇＮＢで提供するサービスとしては、ミリ波帯等の高周波数帯を用いたサービスとして、局所的なエリアを構築してコンテンツの瞬間ダウンロードを実現することや、駅やスタジアムなどにおけるゲートをタッチレス化すること等が想定される。このような局所的なエリアにおけるサービス（以下、スポットサービス）を提供する場合、限られたエリア内でサービス提供を完了させる必要がある。そのため、端末に対して、より早期に接続を確立させてサービス提供のタイミングを早めたり、不要な接続を解放させることにより、無線リソースの利用効率を向上させることが望ましい。
【０００５】
本発明はかかる課題に鑑みてなされたものであり、スポットサービスが提供されるエリア内における無線リソースの利用効率を向上させることを目的とする。
【課題を解決するための手段】
【０００６】
本発明の一態様による基地局装置は、以下の構成を有する。すなわち、端末装置に対する複数の基地局との同時の接続においてマスタ基地局として機能する基地局装置であって、前記端末装置に対して、前記接続においてセカンダリ基地局として機能する特定の第２の基地局装置と接続した後に前記端末装置における前記第２の基地局装置から受信する信号の品質が所定の閾値以下となった場合に前記基地局装置に第２の情報を送信する指示を含む第１の情報を送信する送信手段と、前記端末装置から前記第２の情報が受信された場合に、前記端末装置と前記第２の基地局装置との接続を解放するための制御を行う制御手段と、を有する。
【発明の効果】
【０００７】
本発明によれば、スポットサービスが提供されるエリア内における無線リソースの利用効率を向上させることが可能となる。
【図面の簡単な説明】
【０００８】
【図１】無線通信システムの構成例を示す図。
【図２】装置のハードウェア構成例を示す図。
【図３】基地局装置（ｅＮＢ１０１）の機能構成例を示すブロック図。
【図４】基地局装置（ｇＮＢ１０６）の機能構成例を示すブロック図。
【図５】端末装置（ＵＥ１０７）の機能構成例を示すブロック図。
【図６】無線通信システムで実行される処理の流れの第１の例を示すシーケンス図。
【図７】無線通信システムで実行される処理の流れの第２の例を示すシーケンス図。
【図８】無線通信システムで実行される処理の流れの第３の例を示すシーケンス図。
【発明を実施するための形態】
【０００９】
以下、本発明の例示的な実施形態について図面を参照して説明する。なお、以下の各図においては、実施形態の説明に必要ではない構成要素については図から省略する。
【００１０】
（システム構成）
図１に本実施形態における無線通信システムの構成例を示す。本無線通信システムは、ロングタームエボリューション（ＬＴＥ）の基地局装置（ｅＮＢ１０１）と、次世代通信規格（New Radio：ＮＲ）の基地局装置（ｇＮＢ１０２〜１０６）とを含んで構成される。端末装置（ＵＥ１０７）は、移動可能な無線通信端末である。本実施形態では、ｅＮＢ１０１をマスタ基地局とし、ｇＮＢ１０２〜１０６のいずれかをセカンダリ基地局とするデュアルコネクティビティ・ベースの接続（端末装置に対する複数の基地局との同時の接続）を想定する。すなわち、ｇＮＢ１０２〜１０６は、単独で通信サービスを提供せず、ｅＮＢ１０１と接続を確立しているＵＥ１０７に対して、ｅＮＢ１０１の制御の下で通信サービスを提供することができる。
【００１１】
本実施形態では、ｇＮＢ１０２〜１０６のうち、ｇＮＢ１０６が局所的なエリアにおけるサービス（スポットサービス）を提供しているとする。ＵＥ１０７は、ｇＮＢ１０６が提供するスポットサービスのエリアに進入した場合に、ｅＮＢ１０１の制御の下、ｇＮＢ１０６と接続して、ｇＮＢ１０６が提供するスポットサービスを受けることが可能となる。また、ＵＥ１０７は、ｇＮＢ１０６が提供するスポットサービスのエリアから退出した場合に、ｅＮＢ１０１の制御の下、ｇＮＢ１０６との接続が解放される。
【００１２】
このように、ＵＥ１０７は、ｇＮＢ１０６が提供するスポットサービスのエリアに進入した場合に、スポットサービスを受けることが可能となる。一般的には、ＵＥ１０７における受信信号の品質が、ｇＮＢ１０６の接続を維持できる最低レベルを満たす限り、ＵＥ１０７とｇＮＢ１０６との接続は維持されうる。ここで、ｇＮＢ１０６が、より多くのＵＥに対してスポットサービスを提供するためには、当該スポットサービスの提供が不要または困難となったＵＥに対しては、即座に接続を解放することが好ましい。
【００１３】
そこで、本実施形態における無線システムでは、ｇＮＢ１０６が提供するスポットサービスのエリアに進入したＵＥ１０７における受信信号の品質が、所定の閾値以下となった場合に、ＵＥ１０７は、所定の情報をｅＮＢ１０１に送信し、これを受けたｅＮＢ１０１は、ＵＥ１０７とｇＮＢ１０６との接続を解放するように動作する。
【００１４】
以下では、このような動作を実現するための、基地局装置（ｅＮＢ、ｇＮＢ）、及び端末装置（ＵＥ）の構成、および具体的な処理手順の例について説明する。
【００１５】
（ハードウェア構成）
図２に、基地局装置及び端末装置のハードウェア構成例を示す。基地局装置及び端末装置は、一例において、図２に示すようなハードウェア構成を有し、例えば、ＣＰＵ２０１、ＲＯＭ２０２、ＲＡＭ２０３、外部記憶装置２０４、及び通信回路２０５を有する。基地局装置及び端末装置では、例えばＲＯＭ２０２、ＲＡＭ２０３及び外部記憶装置２０４のいずれかに記録された、以下に説明するような基地局装置及び端末装置の動作／機能を実現するプログラムがＣＰＵ２０１により実行される。
【００１６】
そして、基地局装置及び端末装置は、例えばＣＰＵ２０１により通信回路２０５を制御して、他の装置と通信を行う。なお、基地局装置の通信回路２０５は、例えば、有線回線を通じて、他の基地局装置と通信を行うことができる。また、基地局装置の通信回路２０５は、１つ以上（複数）のビームを形成して端末装置との間で無線通信することが可能でありうる。また、この場合、端末装置の通信回路２０５は、基地局装置の通信回路２０５によって形成されたビームのうちの少なくともいずれかと接続可能に構成され、これらのビームを用いて基地局装置と無線通信することができるように構成される。なお、図２の構成において、基地局装置及び端末装置は、１つの通信回路２０５を有するような概略図を示しているが、これに限られず、複数の通信回路を有してもよい。例えば、基地局装置は、他の基地局装置との有線通信のための第１の通信回路と、端末装置との無線通信のための第２の通信回路とを有しうる。また、端末装置は、例えばＬＴＥ用の第１の通信回路と、ＮＲ用の第２の通信回路とを有してもよい。また、端末装置は、例えば無線ＬＡＮ等のセルラ以外の規格に関する無線通信回路を有してもよいし、さらに、例えばＵＳＢ接続等による有線接続時に用いられる有線通信回路を有してもよい。
【００１７】
なお、基地局装置及び端末装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００１８】
（機能構成）
図３は、本実施形態におけるｅＮＢ１０１の機能構成例を示す図である。ｅＮＢ１０１は、その機能の一例において、通信部３０１、情報生成部３０２、及び制御部３０３を有する。なお、この機能構成例は一例であり、ｅＮＢ１０１は、一般的なＬＴＥ基地局装置としての図示していない機能を当然に有し、また、さらなる機能を有してもよい。
【００１９】
通信部３０１は、ＵＥ１０７との無線通信や、ｇＮＢ１０２〜１０６との間の有線又は無線通信を行う。情報生成部３０２は、図６〜図８を参照して後述する、所定の閾値を含む第１の情報等の情報を生成する。また、情報生成部３０２は、ＵＥ１０７が接続を確立しようとする特定のｇＮＢ（ｇＮＢ１０６）との接続を確立および解放するために必要な条件を含む情報を生成する。制御部３０３は、マスタ基地局装置として動作して、ｇＮＢ１０２〜１０６のいずれかをセカンダリ基地局装置とするデュアルコネクティビティ・ベースの接続をＵＥ１０７との間で確立および解放させるための制御を実行する。
【００２０】
ｅＮＢ１０１は、例えば、通信部３０１を介して、上位シグナリング（例えばＲＲＣ（Radio  Resource  Control）シグナリング）等により、情報生成部３０２によって生成された第１の情報等を、通信部３０１を介してＵＥ１０７に対して送信する。その後、ｅＮＢ１０１は、制御部３０３を介して、ｇＮＢ１０６とＵＥ１０７との接続を確立する。そして、ｅＮＢ１０１は、ＵＥ１０７におけるｇＮＢ１０６から受信する参照信号（Reference Signal）や同期信号（Synchronization Signal）の品質が所定の閾値以下となった場合に、図６〜図８を参照して後述する第２の情報を、通信部３０１を介してＵＥ１０７から受信する。なお、受信信号の品質には、ＲＳＳＩ（Received Signal Strength Indicator）、ＲＳＲＱ（Reference Signal Received Quality）、ＲＳＲＰ（Reference Signal Received Power）、ＳＩＮＲ（Signal to Interference plus Noise Ratio）等、受信信号から得られる品質や電力を示す値が含まれる。また、所定の閾値は、ＵＥ１０７がｇＮＢ１０６によるスポットサービスを受けるのに十分な値として、受信信号の品質の種別に対応した値が設定される。ｅＮＢ１０１は、第２の情報を受信すると、制御部３０３によって、ｇＮＢ１０６とＵＥ１０７との接続を解放する処理を開始する。なお、ｇＮＢ１０６とＵＥ１０７間の接続確立および接続解放の処理については、３ＧＰＰにおいて規定されている処理シーケンスに沿って実行可能であるため、処理の詳細の説明については省略する。
【００２１】
図４は、本実施形態におけるｇＮＢ１０６の機能構成例を示す図である。なお、ｇＮＢ１０２〜１０５も同様の構成を有しうる。ｇＮＢ１０６は、その機能の一例において、通信部４０１、情報生成部４０２、及び制御部４０３を有する。なお、この機能構成例は一例であり、ｇＮＢ１０６は、一般的なＮＲ基地局装置としての図示していない機能を当然に有し、また、さらなる機能を有してもよい。
【００２２】
通信部４０１は、ＵＥ１０７との無線通信や、ｅＮＢ１０１との間の有線又は無線通信を行う。情報生成部４０２は、図６〜図８を参照して以下に説明する、所定の閾値を含む第１の情報等の情報を生成する。また、情報生成部４０２は、ＵＥ１０７の接続を確立および解放するために必要な条件を含む情報を生成する。制御部３０３は、セカンダリ基地局装置として動作して、ｅＮＢ１０１をマスタ基地局装置とするデュアルコネクティビティ・ベースの接続をＵＥ１０７との間で行うための制御を実行する。
【００２３】
ｇＮＢ１０６は、例えば、通信部４０１を介して、下位シグナリング（例えばＭＡＣ（Medium  Access  Control）シグナリング）等により、情報生成部４０２によって生成された第１の情報等を、通信部４０１を介してＵＥ１０７に対して送信する。その後、ｇＮＢ１０６は、制御部４０３を介して、ｅＮＢ１０１との間でＵＥ１０７との接続を確立する。そして、ｅＮＢ１０１により、ＵＥ１０７から図６〜図８を参照して後述する第２の情報が受信されると、制御部４０３を介して、ｅＮＢ１０１との間でＵＥ１０７との接続を解放する処理を開始する。なお、ｅＮＢ１０１との間の、ｇＮＢ１０６とＵＥ１０７間の接続確立および接続解放の処理については、３ＧＰＰにおいて規定されている処理シーケンスに沿って実行可能であるため、処理の詳細の説明については省略する。
【００２４】
図５は、本実施形態におけるＵＥ１０７の機能構成例を示す図である。ＵＥ１０７は、その機能の一例において、通信部５０１、情報取得部５０２、判定部５０３、及び制御部５０４を有する。なお、この機能構成例は一例であり、ＵＥ１０７は、一般的なＬＴＥ及びＮＲに準拠した端末装置としての図示していない機能を当然に有し、また、さらなる機能を有してもよい。
【００２５】
通信部５０１は、ｅＮＢ１０１やｇＮＢ１０２〜ｇＮＢ１０６と無線通信を行う。情報取得部５０２は、ｅＮＢ１０１から、通信部５０１を介して受信した第１の情報等から、所定の閾値に関する情報を取得する。また、別の例として、ＵＥ１０７は、ｇＮＢ１０６が提供するスポットサービスのエリアに進入した後に、ｇＮＢ１０６から、通信部５０１を介して受信した第１の情報等から、所定の閾値に関する情報を取得する。判定部５０３は、セカンダリ基地局から受信する信号の品質が所定の閾値以下となるか否かを判定する。制御部３０３は、ｅＮＢ１０１をマスタ基地局装置とするデュアルコネクティビティ・ベースの接続をｇＮＢ１０６との間で行うための制御を実行する。
【００２６】
ＵＥ１０７は、例えば、通信部５０１を介して、上位または下位シグナリングにより、第１の情報等の情報を受信し、情報取得部５０２は、所定の閾値に関する情報を取得する。また、当該情報の取得の前後に、ＵＥ１０７は、制御部５０４を介して、ｅＮＢ１０１との間でｇＮＢ１０６との接続を確立する。その後、判定部５０３により、セカンダリ基地局から受信する信号の品質が所定の閾値以下となったと判定された場合、ＵＥ１０７は、通信部５０１を介して、図６〜図８を参照して後述する第２の情報を、ｅＮＢ１０１に送信する。第２の情報の送信後、ＵＥ１０７は、制御部５０４を介して、ｅＮＢ１０１との間でｇＮＢ１０６との接続を解放する処理を開始する。なお、ｅＮＢ１０１との間の、ｇＮＢ１０６とＵＥ１０７間の接続確立および接続解放の処理については、３ＧＰＰにおいて規定されている処理シーケンスに沿って実行可能であるため、処理の詳細の説明については省略する。
【００２７】
（処理の流れ）
続いて、図６〜図８を用いて、本実施形態に係る無線通信システムで実行される処理の流れの例について説明する。なお、図６〜図８において、ｅＮＢ１０１は、ＵＥ１０７に対するデュアルコネクティビティ・ベースの接続におけるマスタ基地局装置として機能し、ｇＮＢ１０６は、当該接続におけるセカンダリ基地局として機能するものとする。
【００２８】
［第１の例］
図６は、無線通信システムで実行される処理の流れの第１の例を示すシーケンス図である。まず、ｅＮＢ１０１が、ＵＥ１０７に対して、スポットサービスを提供する特定のｇＮＢであるｇＮＢ１０６と接続した後に、ＵＥ１０７におけるセカンダリ基地局から受信する信号の品質が所定の閾値以下となった場合にｅＮＢ１０１に対して報告を行わせる指示を含む第１の情報を送信する（Ｓ６０１）。第１の情報は、例えば、ＲＲＣシグナリングや、報知信号（ＭＩＢ（Master  Information  Block）、ＳＩＢ（System  Information  Block））等により、ＵＥ１０７に送信されうる。第１の情報には、例えば、ｇＮＢ１０６のＩＤ（識別情報）、ＥｖｅｎｔＸ（セカンダリ基地局から受信する信号の品質が所定の閾値以下となった場合に、第２の情報として測定報告（measurement report：ＭＲ）を送信すること）が指定されたmeasurement report triggeringを示す情報が含まれ得る。なお、ｇＮＢ１０６のＩＤは、ｇＮＢ１０６を特定できる情報であれば、どのような情報であってもよい。また、ＵＥ１０７において、ｇＮＢ１０６が予め、または、別の手段により指定されている場合は、ｇＮＢ１０６のＩＤは第１の情報に含まれなくてもよい。また、第１の情報は、ＵＥ１０７とｇＮＢ１０６の接続前に限らず、接続後に送信されてもよい。
【００２９】
続いて、ＵＥ１０７がｇＮＢ１０６が提供するスポットサービスのエリアに進入すると、ＵＥ１０７は、ｇＮＢ１０６から、ｇＮＢ１０６のＩＤを受信する（Ｓ６０２）。当該ｇＮＢ１０６のＩＤは、報知情報や同期信号、ＭＡＣシグナリング等の下位レイヤシグナリング、または上記の上位シグナリングにより、ＵＥ１０７に通知されうる。ｇＮＢ１０６のＩＤを受信したＵＥ１０７は、ｇＮＢ１０６の存在を認識し、ｅＮＢ１０１に対して、ｇＮＢ１０６をセカンダリ基地局としてＮＳＡ構成での接続を開始するように要求する。これに応じて、ｅＮＢ１０１の制御により、ＵＥ１０７とｇＮＢ１０６の接続が確立される（Ｓ６０３）。また、ＵＥ１０７は、Ｓ６０１においてｅＮＢ１０１から受信した第１の情報に含まれるＥｖｅｎｔＸに基づき、セカンダリ基地局から受信する信号の品質が所定の閾値以下となるか否かの判定を開始する。
【００３０】
ＵＥ１０７は、ｇＮＢ１０６との接続が確立された後は、参照信号（Reference Signal）や同期信号（Synchronization Signal）を継続的に受信する（Ｓ６０４）。ＵＥ１０７は、参照信号や同期信号を受信する毎に、受信信号の品質を、所定の閾値と比較する。上述したように、受信信号の品質には、ＲＳＳＩ、ＲＳＲＱ、ＲＳＲＰ、ＳＩＮＲ等、受信信号から得られる品質や電力を示す値が含まれ、所定の閾値は、当該受信信号の品質の種別に対応した値である。
【００３１】
ＵＥ１０７は、セカンダリ基地局から受信する信号の品質が所定閾値以下となった場合、ＥｖｅｎｔＸに合致（ＥｖｅｎｔＸによる条件を満たす）と判定し（Ｓ６０５）、第２の情報として、測定報告をｅＮＢ１０１に対して送信する。これを受けて、ｅＮＢ１０１は、ｇＮＢ１０６が提供するスポットサービスのエリアをＵＥ１０７が出たことを認識する（Ｓ６０６）。続いて、ｅＮＢ１０１は、ＵＥ１０７とｇＮＢ１０６との接続を解放し、ｇＮＢ１０６をセカンダリ基地局から開放するための制御を行う（Ｓ６０７）。これにより、ＵＥ１０７、ｅＮＢ１０１、ｇＮＢ１０６間のＮＳＡ構成が解消される。
【００３２】
［第２の例］
図７は、無線通信システムで実行される処理の流れの第２の例を示すシーケンス図である。以下、第１の例と異なる点について説明する。
【００３３】
まず、ｇＮＢ１０６が、ＵＥ１０７に対して、ｇＮＢ１０６と接続した後にＵＥ１０７におけるセカンダリ基地局から受信する信号の品質が所定の閾値以下になった場合にｅＮＢ１０１に報告を行わせる指示を含む第１の情報を送信する（Ｓ７０１）。第１の情報は、下位レイヤシグナリング等により、ＵＥ１０７に送信されうる。第１の情報には、例えば、ｇＮＢ１０６のＩＤ、セカンダリ基地局から受信する信号の品質に対する所定の閾値、セカンダリ基地局から受信する信号の品質が所定の閾値以下となった場合に、そのことを第２の情報としてｅＮＢ１０１に送信するか否かを示す情報が含まれうる。なお、ｇＮＢ１０６や所定の閾値が予め指定されている場合は、ｇＮＢ１０６のＩＤや所定の閾値は第１の情報に含まれなくてもよい。また、第１の情報は、ＵＥ１０７とｇＮＢ１０６の接続前に限らず、接続後に送信されてもよい。
【００３４】
続いて、ＵＥ１０７は、ｇＮＢ１０６が提供するスポットサービスのエリアに進入すると、ｇＮＢ１０６の存在を認識し、ＵＥ１０７はｅＮＢ１０１に対して、ｇＮＢ１０６をセカンダリ基地局としてＮＳＡ構成での接続を開始するように要求する。これに応じて、ｅＮＢ１０１の制御により、ＵＥ１０７とｇＮＢ１０６の接続が確立される（Ｓ７０２）。また、ＵＥ１０７は、Ｓ７０１においてｇＮＢ１０６から受信した第１の情報に基づき、セカンダリ基地局から受信する信号の品質が所定の閾値以下となるか否かの判定を開始する。
【００３５】
ＵＥ１０７は、ｇＮＢ１０６との接続が確立された後は、参照信号（Reference Signal）や同期信号（Synchronization Signal）を継続的に受信する（Ｓ７０３）。ＵＥ１０７は、参照信号や同期信号を受信する毎に、受信信号の品質を、所定の閾値と比較する。ＵＥ１０７は、受信信号の品質が所定閾値以下となったと判定した場合（Ｓ７０４）、第２の情報として、受信品質が所定の閾値以下となったことを示す情報をｅＮＢ１０１に対して送信（報告）する（Ｓ７０５）。これを受けて、ｅＮＢ１０１は、ＵＥ１０７がｇＮＢ１０６が提供するスポットサービスのエリアを出たことを認識する（Ｓ７０６）。続いて、ｅＮＢ１０１は、ＵＥ１０７とｇＮＢ１０６との接続を解消し、ｇＮＢ１０６をセカンダリ基地局から開放するための制御を行う（Ｓ７０７）。これにより、ＵＥ１０７、ｅＮＢ１０１、ｇＮＢ１０６間のＮＳＡ構成が解消される。
【００３６】
［第３の例］
図８は、無線通信システムで実行される処理の流れの第３の例を示すシーケンス図である。以下、第１の例、第２の例と異なる点について説明する。
【００３７】
まず、ｅＮＢ１０１が、ＵＥ１０７に対して、スポットサービスを提供する特定のｇＮＢであるｇＮＢ１０６のＩＤと、セカンダリ基地局から受信する信号の品質に対する所定の閾値とを送信する（Ｓ８０１）。続いて、ｇＮＢ１０６は、ｇＮＢ１０６と接続した後に、ＵＥ１０７におけるセカンダリ基地局から受信する信号の品質が所定の閾値以下になった場合にｅＮＢ１０１に報告を行わせる指示を含む第１の情報を送信する（Ｓ８０２）。第１の情報には、例えば、セカンダリ基地局から受信する信号の品質が所定の閾値以下となった場合に、そのことを第２の情報としてｅＮＢ１０１に送信するか否かを示す情報が含まれうる。第２の情報がＭＡＣシグナリング等の下位レイヤシグナリングにより送信される場合、第２の情報は所定の少量ビット（例えば１ビット）で表せられうる。また、第１の情報は、ＵＥ１０７とｇＮＢ１０６の接続前に限らず、接続後に送信されてもよい。
【００３８】
続いて、ＵＥ１０７は、ｇＮＢ１０６が提供するスポットサービスのエリアに進入すると、ｇＮＢ１０６の存在を認識し、ＵＥ１０７はｅＮＢ１０１に対して、ｇＮＢ１０６をセカンダリ基地局としてＮＳＡ構成での接続を開始するように要求する。これに応じて、ｅＮＢ１０１の制御により、ＵＥ１０７とｇＮＢ１０６の接続が確立される（Ｓ８０３）。また、ＵＥ１０７は、Ｓ７０１においてｇＮＢ１０６から受信した第１の情報に基づき、セカンダリ基地局から受信する信号の品質が所定の閾値以下となるか否かの判定を開始する。
【００３９】
ＵＥ１０７は、ｇＮＢ１０６との接続が確立された後は、参照信号（Reference Signal）や同期信号（Synchronization Signal）を継続的に受信する（Ｓ８０４）。ＵＥ１０７は、参照信号や同期信号を受信する毎に、受信信号の品質を、所定の閾値と比較する。ＵＥ１０７は、セカンダリ基地局から受信する信号の品質が所定の閾値以下となったと判定した場合（Ｓ８０５）、第２の情報として、セカンダリ基地局から受信する品質が所定の閾値以下となったことをｅＮＢ１０１に対して送信（報告）する（Ｓ８０６）。これを受けて、ｅＮＢ１０１は、ｇＮＢ１０６が提供するスポットサービスのエリアをＵＥ１０７が出たことを認識する（Ｓ８０７）。続いて、ｅＮＢ１０１は、ＵＥ１０７とｇＮＢ１０６との接続を解消し、ｇＮＢ１０６をセカンダリ基地局から開放するための制御を行う（Ｓ８０８）。これにより、ＵＥ１０７、ｅＮＢ１０１、ｇＮＢ１０６間のＮＳＡ構成が解消される。
【００４０】
このように、実施形態としての各上記例で説明したようにＵＥ１０７、ｅＮＢ１０１、ｇＮＢ１０６が動作することにより、ｇＮＢ１０６をセカンダリ基地局としてＮＳＡ構成で接続確立するＵＥ１０７に対して、不必要にセカンダリ基地局との接続を維持することを防ぐことが出来る。結果として、無線通信システムにおけるシステム容量を向上させることが可能となる。
【００４１】
なお、上記例では、ｅＮＢ１０１又はｇＮＢ１０６は、第１の情報として、少なくともＵＥ１０７におけるセカンダリ基地局から受信する信号の品質が所定の閾値以下になった場合にｅＮＢ１０１に対して第２の情報を送信させることを示す情報を含めたが、これに限定されない。例えば、第１の情報として、セカンダリ基地局に対するＣＱＩ（Channel Quality Indicator）をｅＮＢ１０１に対して送信させることを示す情報を含めてもよい。この場合、ＵＥ１０７からＣＱＩを受信したｅＮＢ１０１は、ＵＥ１０７とｇＮＢ１０６に対してＭＣＳ（Modulation and Coding Scheme）を制御するように構成されてもよい。
【００４２】
なお、上述のシステムや用語は一例であり、本発明を限定するものではない。例えば、ＬＴＥのｅＮＢがマスタ基地局として動作し、ＮＲのｇＮＢがセカンダリ基地局として動作して、ＵＥとｇＮＢとの間の接続を確立する処理について説明したが、これに限られず、ＬＴＥやＮＲ以外のシステムにおいて、本発明が適用されてもよい。また、ｇＮＢとＵＥとの間の接続は、デュアルコネクティビティに基づいて行われなくてもよく、任意の接続処理が実行されうる。
【符号の説明】
【００４３】
１０１  ｅＮＢ（ＬＴＥの基地局装置）、１０２〜１０６  ｇＮＢ（ＮＲの基地局装置）、１０７  ＵＥ（端末装置）
【図１】
2019176288.tif 000003
【図２】
2019176288.tif 000004
【図３】
2019176288.tif 000005
【図４】
2019176288.tif 000006
【図５】
2019176288.tif 000007
【図６】
2019176288.tif 000008
【図７】
2019176288.tif 000009
【図８】
2019176288.tif 000010